(57)【要約】【課題】レンズ鏡胴の密閉性を高めることなく、レンズの曇りを防止又は除去することができるレンズ鏡胴を提供する。【解決手段】最も被写体側に比較的大径のレンズを有し、前記最も被写体側のレンズよりも結像側の外周に開口が形成されているレンズ鏡胴本体と、熱源が設けられた熱源ユニット本体を有し、前記レンズ鏡胴の開口周囲に着脱自在に装着される熱源ユニットと、を備える。前記開口は例えば、前記レンズの下端に対向する前記レンズ鏡胴本体部分に形成されている。前記開口は例えば、前記レンズ鏡胴本体よりも熱伝導率の高い閉塞部材により塞がれている。【選択図】  図１
2007256849.tif 000002
【特許請求の範囲】
【請求項１】
最も被写体側に比較的大径のレンズを有し、前記最も被写体側のレンズよりも結像側の外周に開口が形成されているレンズ鏡胴本体と、
熱源が設けられた熱源ユニット本体を有し、前記レンズ鏡胴の開口周囲に着脱自在に装着される熱源ユニットと、
を備えることを特徴とするレンズ鏡胴。
【請求項２】
前記開口は前記レンズの下端に対向する前記レンズ鏡胴本体部分に形成されていることを特徴とする請求項１に記載のレンズ鏡胴。
【請求項３】
前記開口は前記レンズ鏡胴本体よりも熱伝導率の高い閉塞部材により塞がれていることを特徴とする請求項１又は２に記載のレンズ鏡胴。
【請求項４】
前記熱源と前記熱源ユニット本体との間には間隔が設けられていることを特徴とする請求項１から３のいずれかに記載のレンズ鏡胴。
【請求項５】
前記熱源ユニットは前記レンズ鏡胴外周面にシール部材を介して装着されることを特徴とする請求項１から４のいずれかに記載のレンズ鏡胴。
【請求項６】
前記熱源はヒーターであり、
前記熱源ユニットは、前記レンズ鏡胴内の温度を検出するための温度センサと、前記温度センサにより検出された温度に基づいて、前記ヒーターを制御する制御手段と、を備えることを特徴とする請求項１から５のいずれかに記載のレンズ鏡胴。
【請求項７】
前記熱源ユニットは、前記制御手段に電源を供給するためのオンオフスイッチを備えていることを特徴とする請求項６に記載のレンズ鏡胴。
【請求項８】
前記熱源ユニットは、前記電源を備えていることを特徴とする請求項７に記載のレンズ鏡胴。
【請求項９】
前記熱源ユニットは、前記レンズ鏡胴内の温度を表示する表示部を備えることを特徴とする請求項６から８のいずれかに記載のレンズ鏡胴。
【発明の詳細な説明】
【技術分野】
【０００１】
本発明は、レンズ鏡胴に係り、特にレンズ鏡胴内に配置された比較的肉厚で大径のレンズの曇りを防止するためのレンズ鏡胴に関する。
【背景技術】
【０００２】
従来、テレビカメラ等のレンズ鏡胴においては、レンズの曇りを防止するために乾燥剤が使用されることがある。
【０００３】
例えば、レンズ鏡胴の周囲に開口部を形成し、この開口部を通して鏡胴内部と連通される容器に乾燥剤を収納する乾燥剤ユニットをレンズ鏡胴に装着するものが提案されている（特許文献１）。
【０００４】
このレンズ鏡胴によれば、乾燥剤によりレンズ鏡胴内の湿気を取り除くことで、レンズの曇りを防止することが可能となる。
【特許文献１】特開２０００−７５１８４号公報
【発明の開示】
【発明が解決しようとする課題】
【０００５】
しかしながら、乾燥剤によりレンズ鏡胴内の湿気を効率よく取り除くためには、外部からレンズ鏡胴内に湿気が侵入しないようにレンズ鏡胴の密閉性を高めなければならないという欠点がある。
【０００６】
本発明はこのような事情に鑑みてなされたもので、レンズ鏡胴の密閉性を高めることなく、レンズの曇りを防止又は除去することができるレンズ鏡胴を提供することを目的とする。
【課題を解決するための手段】
【０００７】
本発明は上記課題を解決するためになされたものであり、請求項１に記載の発明は、最も被写体側に比較的大径のレンズを有し、前記最も被写体側のレンズよりも結像側の外周に開口が形成されているレンズ鏡胴本体と、熱源が設けられた熱源ユニット本体を有し、前記レンズ鏡胴の開口周囲に着脱自在に装着される熱源ユニットと、を備えることを特徴とする。
【０００８】
請求項１に記載の発明によれば、熱源ユニットがレンズ鏡胴に装着されると、熱源により、最も被写体側に比較的大径のレンズを効率的に暖めることができる。すなわち、レンズを暖めることにより、レンズの曇りの原因であるレンズ温度とレンズ鏡胴内温度との温度差をなくすことができる。したがって、レンズ鏡胴の密閉性を高めることなく、レンズの曇りを防止又は除去することが可能となる。
【０００９】
請求項２に記載の発明は、請求項１に記載の発明において、前記開口は前記レンズの下端に対向する前記レンズ鏡胴本体部分に形成されていることを特徴とする。
【００１０】
請求項２に記載の発明によれば、熱源ユニットがレンズ鏡胴外周面に装着されると、熱源がレンズの下端に対向することになる。すなわち、レンズは熱源の上方に位置することになるから、熱源から上昇する熱によりレンズをさらに効率的かつ集中的に暖めることができる。
【００１１】
請求項３に記載の発明は、請求項１又は２に記載の発明において、前記開口は前記レンズ鏡胴本体よりも熱伝導率の高い閉塞部材により塞がれていることを特徴とする。
【００１２】
請求項３に記載の発明によれば、開口は閉塞部材により閉塞されているので、熱源ユニットを着脱するに際して、開口からレンズ鏡胴内にゴミや埃等が入り込むことがない。
【００１３】
請求項４に記載の発明は、前記熱源と前記熱源ユニット本体との間には間隔が設けられていることを特徴とする。
【００１４】
請求項４に記載の発明によれば、熱源と熱源ユニット本体との間には間隔が設けられている、すなわち、熱源は宙に浮いた状態となり、熱源からの熱がレンズ鏡胴本体等に逃げず、レンズを効率的に暖めることが可能となる。
【００１５】
請求項５に記載の発明は、請求項１から４のいずれかに記載の発明において、前記熱源ユニットは前記レンズ鏡胴外周面にシール部材を介して装着されることを特徴とする。
【００１６】
請求項５に記載の発明によれば、熱源ユニットはレンズ鏡胴外周面にシール部材を介して装着されるので、レンズをさらに効率的に暖めることができる。
【００１７】
請求項６に記載の発明は、請求項１から５のいずれかに記載の発明において、前記熱源はヒーターであり、前記熱源ユニットは、前記レンズ鏡胴内の温度を検出するための温度センサと、前記温度センサにより検出された温度に基づいて、前記ヒーターを制御する制御手段と、を備えることを特徴とする。
【００１８】
請求項６に記載の発明によれば、ヒーターを制御することによりレンズを暖めることが可能となる。
【００１９】
請求項７に記載の発明は、請求項６に記載の発明において、前記熱源ユニットは、前記制御手段に電源を供給するためのオンオフスイッチを備えていることを特徴とする。
【００２０】
請求項７に記載の発明によれば、オンオフスイッチを切り替えることにより、必要なときに、ヒーターを制御することによりレンズを暖めることが可能となる。
【００２１】
請求項８に記載の発明は、請求項７に記載の発明において、前記熱源ユニットは、前記電源を備えていることを特徴とする。
【００２２】
請求項８に記載の発明によれば、熱源ユニットは電源を備えているので、熱源ユニットの装着に際して、内部配線の引き回し等が不要となる。また、レンズ鏡胴にカメラ装置が未装着であっても、レンズを暖めることが可能となる。
【００２３】
請求項９に記載の発明は、請求項６から８のいずれかに記載の発明において、前記熱源ユニットは、前記レンズ鏡胴内の温度を表示する表示部を備えることを特徴とする。
【００２４】
請求項９に記載の発明によれば、熱源ユニットは、レンズ鏡胴内の温度を表示する表示部を備えているので、外部からレンズ鏡胴内の温度を把握することが可能となる。
【発明の効果】
【００２５】
本発明によれば、レンズ鏡胴の密閉性を高めることなく、レンズの曇りを防止又は除去することができるレンズ鏡胴を提供することが可能となる。
【発明を実施するための最良の形態】
【００２６】
以下添付図面に従って本発明に係るレンズ鏡胴の第１実施形態について説明する。図１は本発明に係るレンズ鏡胴の第１実施形態を示すシステム構成図である。図１に示すように、本実施形態のレンズ鏡胴１０は主として、レンズ鏡胴本体１０ａ、及び熱源ユニット２０を備えている。
【００２７】
レンズ鏡胴本体１０ａ内には、比較的肉厚で大径の二枚のレンズＬ１、Ｌ２が配置されている。レンズＬ１とレンズＬ２の間のレンズ鏡胴本体１０ａの部分には、その厚み方向に貫通する開口１１が形成されている。この開口１１は後述のようにレンズ鏡胴本体１０ａ外周面（開口１１周囲）に熱源ユニット２０（又は図示しない蓋）が装着されることにより塞がれる。
【００２８】
熱源ユニット２０は略矩形のプレート（以下熱源ユニット本体ということがある）を備えており、例えば、その四隅にレンズ鏡胴本体１０ａへの取付用ネジが挿入されるネジ穴２１が形成されている。熱源ユニット２０の裏面略中央領域（開口１１を塞いだときに開口１１の底面となる領域）にはヒーター２２及び温度センサ２３が設けられている。ヒーター２２と熱源ユニット本体との間には間隔が設けられている。すなわち、ヒーター２２は宙に浮いた状態となっており、ヒーター２２の熱がレンズ鏡胴本体１０ａ等に逃げず、レンズＬ１、Ｌ２を効率的に暖めることが可能となっている。あるいは、ヒーター２２を断熱材でパッケージすることによっても同様の効果を得られる。
【００２９】
図１に示すように、熱源ユニット２０がレンズ鏡胴本体１０ａ外周面に装着（ネジ止め）されると、ヒーター２２は開口１１を介してレンズ鏡胴本体１０ａ内に侵入し、レンズＬ１とＬ２との間に位置する。これにより、レンズＬ１、Ｌ２を暖め、曇りを防止又は除去することが可能となる。同様に、温度センサ２３も開口１１を介してレンズ鏡胴本体１０ａ内に侵入し、これにより、レンズ鏡胴本体１０ａ内の温度を検出可能となる。
【００３０】
ヒーター２２及び温度センサ２３はヒーター制御回路３０に接続されている。すなわち、ヒーター制御回路３０は、温度センサ２３によって検出される温度に基づいて、ヒーター２２を制御するように構成されている。
【００３１】
なお、レンズ鏡胴本体１０ａ外周面に接点（図示せず）を設けるとともに、熱源ユニット２０裏面にも接点（図示せず）を設け、熱源ユニット２０がレンズ鏡胴本体１０ａ外周面に装着されると、両接点が接触して、図１に示される回路が構成されるようにしてもよい。このようにすれば、熱源ユニット２０の装着に際して、レンズ鏡胴本体１０ａの分解、内部配線の引き回し、スイッチの増設等が不要となる。
【００３２】
ヒーター制御回路３０と、レンズ鏡胴本体１０ａに装着されたカメラ装置５０が備えるレンズ制御回路４０とは、コネクタＫ等を介して接続される。すなわち、ヒーター制御回路３０はレンズ制御回路４０から電源等の供給を受けて動作するように構成されている。
【００３３】
ヒーター制御回路３０の制御動作としては各種のものが考えられる。例えば、スイッチＳ１がオンされると、温度センサ２３によりレンズ鏡胴本体１０ａ内の温度を検出し、この検出された温度が閾値以下のとき、予め定められた時間ヒーター２２を動作させることが考えられる。
【００３４】
なお、レンズ鏡胴本体１０ａには熱源ユニット２０が装着されている場合と装着されていない場合がある。熱源ユニット２０が装着されていない場合、開口１１は、図示しない蓋がネジ止めされることで塞がれる。この場合、必要に応じてその蓋を外し、熱源ユニット２０を装着する（ネジ止めする）ことが可能である。
【００３５】
以上説明したように、本実施形態のレンズ鏡胴１０によれば、熱源ユニット２０がレンズ鏡胴本体１０ａ外周面に装着されると、ヒーター２２が開口１１を介してレンズＬ１とＬ２との間に位置することになる。これにより、レンズＬ１、Ｌ２を効率的に暖めることができる。
【００３６】
すなわち、レンズＬ１、Ｌ２を暖めることにより、レンズＬ１、Ｌ２の曇りの原因であるレンズ温度とレンズ鏡胴本体１０ａ内温度との温度差をなくすことができる。したがって、レンズ鏡胴の密閉性を高めることなく、レンズＬ１、Ｌ２の曇りを防止又は除去することが可能となる。
【００３７】
次に、第１実施形態の変形例について説明する。
【００３８】
本実施形態では、レンズ鏡胴本体１０ａ外周面との間に何も介在させずに熱源ユニット２０を装着する例について説明したが、本発明はこれに限定されない。例えば、図２に示すように、レンズ鏡胴本体１０ａ外周面との間にシール材（例えばゴム等のパッキンＰ）を介在させて熱源ユニット２０を装着してもよい。このようにすれば、レンズＬ１、Ｌ２をさらに効率的に暖めることができる。
【００３９】
また、本実施形態では、熱源ユニット２０にはネジ穴２１が形成されており、熱源ユニット２０はこのネジ穴２１に挿入されるネジでレンズ鏡胴本体１０ａに装着される（ネジ止めされる）ように説明したが、本発明はこれに限定されない。
【００４０】
例えば、図３に示すように、熱源ユニット２０を円柱形状に構成するとともに、その周囲にネジ溝２４を形成し、この円柱形状の熱源ユニット２０を開口１１に螺合することでレンズ鏡胴本体１０ａに装着してもよい。このようにすれば、熱源ユニット２０の装着が容易となる。
【００４１】
あるいは、図４に示すように、熱源ユニット２０とレンズ鏡胴本体１０ａのそれぞれに両者を連通する開口２１ａ、２１ｂを形成し、この開口２１ａ、２１ｂに、先端に可撓性部２５ａ（図４では両端がピン外周面に固定された円弧状の線材を例示）を有するピン部材２５を挿入することで装着するようにしてもよい。このようにすれば、熱源ユニット２０の装着が容易となる。
【００４２】
あるいは、図５に示すように、熱源ユニット２０を先端に可撓性部２６（図５では両端が熱源ユニット２０の外周面に固定された円弧状の線材を例示）を有する円柱状ユニットとして構成し、この円柱状ユニットを開口１１に挿入することで装着するようにしてもよい。このようにすれば、熱源ユニット２０の装着が容易となる。
【００４３】
あるいは、図６に示すように、熱源ユニット２０の上端から外方向に延びる水平部２７ａ及びこの水平部２７ａからさらに下方に延びる垂直部２７ｂを有し弾性変形し得るアーム２７（図６では二本のアームを例示）を設けるとともに、そのアーム２７の表面にレンズ鏡胴本体１０ａの厚み分離して配置される二つの凸部２７ｃ、２７ｄを設け、この熱源ユニット２０を開口１１に挿入することで装着するようにしてもよい。このようにすれば、開口１１への挿入に際してはアーム２７が弾性変形するので挿入し易い。また、アーム２７がもとの形状に復帰しレンズ鏡胴本体１０ａが凸部２７ｃと凸部２７ｄとの間に位置することにより熱源ユニット２０がレンズ鏡胴本体１０ａにしっかりと装着される。
【００４４】
次に、本発明に係るレンズ鏡胴の第２実施形態について説明する。図７は本発明に係るレンズ鏡胴の第２実施形態の主要部分を示す図である。
【００４５】
図７に示すように、レンズ鏡胴１０は、第１実施形態と同様、レンズ鏡胴本体１０ａ、及び熱源ユニット２０（本発明の熱源ユニットに相当）を備えている。そして、レンズ鏡胴本体１０ａのレンズＬ１とレンズＬ２との間には、その厚み方向に貫通する開口１１が形成されている。
【００４６】
本実施形態では、この開口１１は、図７に示すように、レンズ鏡胴本体１０ａよりも熱伝導率の高い閉塞部材１２により塞がれている点、熱源ユニット２０は凹部２８を備えており、この凹部２８底面２８ａにヒーター２２及び温度センサ２３が設けられている点、が第１実施形態と異なる。他の構成については第１実施形態と同様であるので、同一の符号を付して説明する。
【００４７】
レンズ鏡胴本体１０ａ外周面に熱源ユニット２０がネジ止めされると、図７に示すように、ヒーター２２は閉塞部材１２を挟んでレンズＬ１とＬ２との間に位置する。一方、閉塞部材１２にはその厚み方向に貫通する温度センサ２３挿入用の開口１２ａが形成されており、温度センサ２３はこの開口１２ａを介してレンズ鏡胴本体１０ａ内に侵入するようになっている。これにより、レンズ鏡胴本体１０ａ内の温度を検出可能となる。
【００４８】
ヒーター制御回路３０は、例えば、スイッチＳ１がオンされると、温度センサ２３によりレンズ鏡胴本体１０ａ内の温度を検出し、この検出された温度が閾値以下のとき、予め定められた時間ヒーター２２を動作させる。
【００４９】
以上説明したように、本実施形態のレンズ鏡胴１０によれば、上記第１実施形態と同様、熱源ユニット２０がレンズ鏡胴本体１０ａ外周面に装着されると、ヒーター２２が開口１１（閉塞部材１２）を介してレンズＬ１とＬ２との間に位置することになる。これにより、レンズＬ１、Ｌ２を効率的に暖めることができる。
【００５０】
すなわち、レンズＬ１、Ｌ２を暖めることにより、レンズＬ１、Ｌ２の曇りの原因であるレンズ温度とレンズ鏡胴本体１０ａ内温度との温度差をなくすことができる。したがって、レンズ鏡胴の密閉性を高めることなく、レンズＬ１、Ｌ２の曇りを防止又は除去することが可能となる。
【００５１】
また、開口１１は閉塞部材１２により閉塞されているので、熱源ユニット２０を着脱するに際して、開口１１からレンズ鏡胴本体１０ａ内にゴミや埃等が入り込むことがない。
【００５２】
次に、本発明に係るレンズ鏡胴の第３実施形態について説明する。図８は本発明に係るレンズ鏡胴の第３実施形態の主要部分を示す図である。
【００５３】
図８に示すように、レンズ鏡胴１０は、第１実施形態と同様、レンズ鏡胴本体１０ａ、及び熱源ユニット２０（本発明の熱源ユニットに相当）を備えている。そして、レンズ鏡胴本体１０ａのレンズＬ１とＬ２との間には、その厚み方向に貫通する開口１１が形成されている。この開口１１は後述のようにレンズ鏡胴本体１０ａ外周面に熱源ユニット２０が装着されることにより塞がれる。
【００５４】
本実施形態では、熱源ユニット２０が凹部２８を備えている点、この凹部２８に化学反応により発熱する物質Ｍ（例えば、鉄粉、水、塩類、活性炭等を混ぜ合わせたもの）が収容されている点、が第１実施形態と異なる。他の構成については第１実施形態と同様であるので、同一の符号を付して説明する。
【００５５】
レンズ鏡胴本体１０ａ外周面に熱源ユニット２０がネジ止めされると、図８に示すように、物質ＭはレンズＬ１とレンズＬ２との間に位置する。物質Ｍは化学反応により発熱する。
【００５６】
これにより、レンズＬ１、Ｌ２を効率的に暖めることができる。すなわち、レンズＬ１、Ｌ２を暖めることにより、レンズＬ１、Ｌ２の曇りの原因であるレンズ温度とレンズ鏡胴本体１０ａ内温度との温度差をなくすことができる。したがって、レンズ鏡胴の密閉性を高めることなく、レンズＬ１、Ｌ２の曇りを防止又は除去することが可能となる。
【００５７】
また、熱源として化学反応により発熱する物質Ｍを用いているので、電源が不要である。
【００５８】
次に、変形例について説明する。
【００５９】
（変形例１）
例えば、図９（Ａ）（Ｂ）に示すように、上記各実施形態の熱源ユニット２０に、ヒーター制御回路３０に電源を供給するためのオンオフスイッチＳ２と表示部２９を設け、図１０に示すように、レンズ鏡胴本体１０ａにレンズフードＦを装着した場合であっても、前側開口部Ｆ１より操作視認可能とするようにしてもよい。あるいは、図１１に示すように、レンズフードＦの側面に開口Ｆ２を設け、この開口Ｆ２を介して操作視認可能とするようにしてもよい。
【００６０】
オンオフスイッチＳ２を切り替えることにより、必要なときに、ヒーター２２を制御することによりレンズＬ１、Ｌ２を暖めることが可能となる。また、表示部２９により、レンズ鏡胴本体１０ａ外部からレンズ鏡胴本体１０ａ内の温度を把握することが可能となる。
【００６１】
表示部２９はレンズ鏡胴本体１０ａ内の温度を表示するためのものであり、各種のものを用いることが可能である。例えば、図１２に示すように、レンズ鏡胴本体１０ａ内の温度をデジタル表示可能な表示部（例えばセブンセグメント）を設け、これによりレンズ鏡胴本体１０ａ内の温度をデジタル表示することが考えられる。なお、図１２中の点線は、表示部２９の配置例を示している。
【００６２】
あるいは、図１３に示すように、複数色のＬＥＤ等の表示部２９を設け、レンズ鏡胴本体１０ａ内の温度に応じた色のＬＥＤを点灯することも考えられる。あるいは、図１４に示すように、レンズ鏡胴本体１０ａ内の温度をメーター形式で表示可能な表示部（例えば複数の角型ＬＥＤを一列に配置）を設け、これによりレンズ鏡胴本体１０ａ内の温度を表示することが考えられる。なお、図１４中の点線は、表示部２９の配置例を示している。図１５は複数の角型ＬＥＤを縦一列に配置した例である。
【００６３】
（変形例２）
例えば、図１６に示すように、上記各実施形態におけるレンズ鏡胴本体１０ａの内側面に熱反射層１３（例えばクロムメッキ等による熱反射膜）を形成するようにしてもよい。このようにすれば、レンズ鏡胴本体１０ａ内において熱が反射するから、大径のレンズＬ１、Ｌ２をさらに効率よく暖めることができるので、大径レンズＬ１、Ｌ２の曇り防止を迅速に実現できる。
【００６４】
（変形例３）
また、図１７に示すように、上記各実施形態における熱源ユニット２０に制御回路３０及び電源（バッテリＢ）を設けるようにしてもよい。このようにすれば、熱源ユニット２０の装着に際して、内部配線の引き回し等が不要となる。また、レンズ鏡胴本体１０ａにカメラ装置５０が未装着であっても、レンズＬ１、Ｌ２を暖めることが可能となる。また、バッテリＢとして市販の乾電池等を用いることが可能であるから汎用性が高くなる。図１８に示すように、バッテリＢとして燃料電池を用いることも可能である。
【００６５】
なお、バッテリＢ又はカメラ装置５０からの電源のいずれかを選択するためのスイッチＳ３を熱源ユニット２０に設けるようにしてもよい。このようにすれば、例えば、カメラからの電源が不足している場合には、バッテリ駆動に手動又は自動で切り替えることが可能となる。
【００６６】
（変形例４）
上記各実施形態においては、レンズ鏡胴本体１０ａのレンズＬ１とＬ２との間の部分に開口１１が形成されているように説明したが、本発明はこれに限定されない。例えば、レンズ鏡胴本体１０ａのレンズＬ１又はＬ２（の下端、左端、右端、又は上端等）に対向する部分に開口１１が形成されていてもよい。なお、レンズを集中的に暖めるには、レンズ鏡胴本体１０ａのレンズＬ１又はＬ２の下端に対向する部分に開口１１が形成されていることが好ましい。
【００６７】
（変形例５）
上記各実施形態においては、熱源ユニット２０を一つ設ける例について説明したが、本発明はこれに限定されない。例えば、熱源ユニット２０をレンズ鏡胴本体１０ａの周方向あるいは光軸方向に複数個設けるようにしてもよい。このようにすれば、大径のレンズＬ１、Ｌ２をさらに効率よく暖めることができるので、大径レンズＬ１、Ｌ２の曇り防止を迅速に実現できる。
【００６８】
（変形例６）
上記各実施形態においては、ヒーター制御回路３０に電源を供給するためのオンオフスイッチＳ２は、熱源ユニット２０に設けられているように説明したが、本発明はこれに限定されない。例えば、オンオフスイッチＳ２は、レンズ操作装置、レンズ本体の外観部等（いずれも図示せず）に設けるようにしてもよい。また、熱源ユニット２０のみ操作するコントローラーを設けるようにしてもよい。
【００６９】
上記実施形態はあらゆる点で単なる例示にすぎない。これらの記載によって本発明は限定的に解釈されるものではない。本発明はその精神または主要な特徴から逸脱することなく他の様々な形で実施することができる。
【図面の簡単な説明】
【００７０】
【図１】本発明に係るレンズ鏡胴の第１実施形態を示すシステム構成図である。
【図２】本発明に係るレンズ鏡胴の第１実施形態の変形例を説明するための図である。
【図３】本発明に係るレンズ鏡胴の第１実施形態の変形例を説明するための図である。
【図４】本発明に係るレンズ鏡胴の第１実施形態の変形例を説明するための図である。
【図５】本発明に係るレンズ鏡胴の第１実施形態の変形例を説明するための図である。
【図６】本発明に係るレンズ鏡胴の第１実施形態の変形例を説明するための図である。
【図７】本発明に係るレンズ鏡胴の第２実施形態を説明するための図である。
【図８】本発明に係るレンズ鏡胴の第３実施形態を説明するための図である。
【図９】本発明に係るレンズ鏡胴の変形例を説明するための図である。
【図１０】本発明に係るレンズ鏡胴の変形例を説明するための図である。
【図１１】本発明に係るレンズ鏡胴の変形例を説明するための図である。
【図１２】本発明に係るレンズ鏡胴の変形例を説明するための図である。
【図１３】本発明に係るレンズ鏡胴の変形例を説明するための図である。
【図１４】本発明に係るレンズ鏡胴の変形例を説明するための図である。
【図１５】本発明に係るレンズ鏡胴の変形例を説明するための図である。
【図１６】本発明に係るレンズ鏡胴の変形例を説明するための図である。
【図１７】本発明に係るレンズ鏡胴の変形例を説明するための図である。
【図１８】本発明に係るレンズ鏡胴の変形例を説明するための図である。
【符号の説明】
【００７１】
１０…レンズ鏡胴、１０ａ…レンズ鏡胴本体、１１…開口、１２…閉塞部材、１２ａ…開口、１３…熱反射層、２０…熱源ユニット、２１…ネジ穴、２１ａ…開口、２２…ヒーター、２３…温度センサ、２４…ネジ溝、２５…ピン部材、２５ａ…可撓性部、２６…可撓性部、２７…アーム、２７ａ…水平部、２７ｂ…垂直部、２７ｃ…凸部、２７ｄ…凸部、２８…凹部、２８ａ…底面、２９…表示部、３０…ヒーター制御回路、４０…レンズ制御回路、５０…カメラ装置、Ｂ…バッテリ、Ｆ…レンズフード、Ｆ１…前側開口部、Ｆ２…開口、Ｋ…コネクタ、Ｌ１…レンズ、Ｌ２…レンズ、Ｍ…物質、Ｐ…パッキン、Ｓ２…オンオフスイッチ
【図１】
2007256849.tif 000003
【図２】
2007256849.tif 000004
【図３】
2007256849.tif 000005
【図４】
2007256849.tif 000006
【図５】
2007256849.tif 000007
【図６】
2007256849.tif 000008
【図７】
2007256849.tif 000009
【図８】
2007256849.tif 000010
【図９】
2007256849.tif 000011
【図１０】
2007256849.tif 000012
【図１１】
2007256849.tif 000013
【図１２】
2007256849.tif 000014
【図１３】
2007256849.tif 000015
【図１４】
2007256849.tif 000016
【図１５】
2007256849.tif 000017
【図１６】
2007256849.tif 000018
【図１７】
2007256849.tif 000019
【図１８】
2007256849.tif 000020